(57)【要約】  モバイルソーシャルネットワークサービスアプリケーションにおけるグループ管理方法およびグループ管理サーバーを提供する。本発明は、モバイルソーシャルネットワークサービスアプリケーションのインスタントメッセージが、予め設定されたグルーピング対象に該当するか否かを確認し、フィルタリングを実時間で行い、グルーピング対象に該当する場合のインスタントメッセージのみをグルーピング対象設定携帯端末へ提供してディスプレイするようにすることにより、ユーザーの満足度を高めることができる。
2015528949.tif 000002
【特許請求の範囲】
【請求項１】
第１携帯端末および第２携帯端末と無線通信網を介して接続されるグループ管理サーバーで行われており、
データベースが前記第１携帯端末から地域情報、性別情報、年齢情報、友達情報を含むグルーピング対象情報の提供を受けて格納するグルーピング対象格納段階と、
インタスタントメッセージ受信部が前記第２携帯端末からモバイルソーシャルネットワークサービスアプリケーションのインスタントメッセージを受信するインスタントメッセージ受信段階と、
フィルタリング遂行部が、前記受信されたインスタントメッセージが前記格納されたグルーピング対象情報に対応するメッセージであるか否かを実時間で判断してフィルタリングを行うフィルタリング遂行段階と、
前記フィルタリング遂行の結果、前記第２携帯端末から受信されたインスタントメッセージが、前記グルーピング対象情報によって設定された条件を満足すると、インスタントメッセージ伝送部は前記受信されたインスタントメッセージを前記第１携帯端末へ伝送してディスプレイするようにするインスタントメッセージ伝送段階とを含んでなることを特徴とする、モバイルソーシャルネットワークサービスアプリケーションにおけるグループ管理方法。
【請求項２】
前記地域情報は出身地または現位置情報であり、前記現位置情報はＧＰＳ（Ｇｌｏｂａｌ  Ｐｏｓｉｔｉｏｎｉｎｇ  Ｓｙｓｔｅｍ）またはＩＰ帯域を介して獲得することを特徴とする、請求項１に記載のモバイルソーシャルネットワークサービスアプリケーションにおけるグループ管理方法。
【請求項３】
前記グルーピング対象情報は、前記第１携帯端末で操作信号により発生した対象キーワード情報であることを特徴とする、請求項１に記載のモバイルソーシャルネットワークサービスアプリケーションにおけるグループ管理方法。
【請求項４】
前記インスタントメッセージ伝送段階の後、
前記第１携帯端末は、前記グルーピング対象情報によって設定された条件を満足し、伝送されたインスタントメッセージのみを画面にディスプレイする段階をさらに含むことを特徴とする、請求項１に記載のモバイルソーシャルネットワークサービスアプリケーションにおけるグループ管理方法。
【請求項５】
前記インスタントメッセージ伝送段階の後、
前記第１携帯端末は、リスト表示メニューまたは地図表示メニューに対する選択信号に応じて、ユーザー周辺ユーザーを、リストの形態でディスプレイし、或いはユーザー周辺ユーザーが地図に含まれた形態でディスプレイする段階をさらに含むことを特徴とする、請求項１に記載のモバイルソーシャルネットワークサービスアプリケーションにおけるグループ管理方法。
【請求項６】
前記第１携帯端末は、ユーザー周辺ユーザーをリストの形態でディスプレイする途中で、リストからいずれか一つのユーザー周辺ユーザーが選択されると、選択されたユーザー周辺ユーザーに対するプロファイルを呼び出してディスプレイすることを特徴とする、請求項５に記載のモバイルソーシャルネットワークサービスアプリケーションにおけるグループ管理方法。
【請求項７】
前記インスタントメッセージ伝送段階の後、
前記第１携帯端末は、前記グループ管理サーバーからユーザー周辺ユーザーを距離または国を基準に分類し、生成されたサムネイルイメージを受信してディスプレイする段階をさらに含むことを特徴とする、請求項１に記載のモバイルソーシャルネットワークサービスアプリケーションにおけるグループ管理方法。
【請求項８】
第１携帯端末から提供されたグルーピング対象情報を格納するデータベースと、
第２携帯端末からモバイルソーシャルネットワークサービスアプリケーションのインスタントメッセージを受信するインスタントメッセージ受信部と、
前記受信されたインスタントメッセージが前記格納されたグルーピング対象情報に該当するか否かを確認し、フィルタリングを実時間で行うフィルタリング遂行部と、
前記フィルタリング遂行の結果、前記グルーピング対象情報に該当する場合のインスタントメッセージのみを第１携帯端末へ伝送するインスタントメッセージ伝送部とを含んでなることを特徴とする、グループ管理サーバー。
【請求項９】
前記地域情報は出身地または現位置情報であり、前記現位置情報はＧＰＳ（Ｇｌｏｂａｌ  Ｐｏｓｉｔｉｏｎｉｎｇ  Ｓｙｓｔｅｍ）またはＩＰ帯域を介して獲得することを特徴とする、請求項８に記載のグループ管理サーバー。
【請求項１０】
前記グルーピング対象情報は前記第１携帯端末で操作信号により発生した対象キーワード情報であることを特徴とする、請求項８に記載のグループ管理サーバー。
【請求項１１】
前記第１携帯端末は、前記伝送されたグルーピング対象情報に該当する場合のインスタントメッセージのみを画面にディスプレイすることを特徴とする、請求項８に記載のグループ管理サーバー。
【請求項１２】
前記第１携帯端末は、リスト表示メニューまたは地図表示メニューに対する選択信号に応じて、ユーザー周辺ユーザーを、リストの形態でディスプレイし、或いはユーザー周辺ユーザーが地図に含まれた形態でディスプレイする段階をさらに含むことを特徴とする、請求項８に記載のグープ管理サーバー。
【請求項１３】
前記第１携帯端末は、ユーザー周辺ユーザーをリストの形態でディスプレイする途中で、リストからいずれか一つのユーザー周辺ユーザーが選択されると、選択されたユーザー周辺ユーザーに対するプロファイルを呼び出してディスプレイすることを特徴とする、請求項１２に記載のグループ管理サーバー。
【請求項１４】
前記第１携帯端末は、ユーザー周辺ユーザーを距離または国を基準に分類し、生成されたサムネイルイメージを受信してディスプレイすることを特徴とする、請求項８に記載のグループ管理サーバー。
【発明の詳細な説明】
【技術分野】
【０００１】
本発明は、モバイルソーシャルネットワークサービスアプリケーションにおけるグループ管理方法およびグループ管理サーバーに係り、さらに詳しくは、携帯端末のユーザーが、予め設定したグループのインスタントメッセージのみを見ることができるようにする、モバイルソーシャルネットワークサービスアプリケーションにおけるグループ管理方法およびグループ管理サーバーに関する。
【背景技術】
【０００２】
携帯端末は、携帯が可能であるとともに、音声通話およびビデオ通話を行うことが可能な機能、情報を入出力することが可能な機能、およびデータを保存することが可能な機能などの少なくとも一つを備えた携帯用機器である。このような携帯端末は、その機能が多様化するにつれて、写真や動画像の撮影、音楽ファイルや動画像ファイルの再生、ゲーム、放送の受信、無線インターネットなどの複雑な機能を備えるようになり、総合的なマルチメディア機器の形態で実現されている。また、最近では、このようなマルチメディア機器の形態で実現された携帯端末によって様々な付加機能を提供している。
【０００３】
例えば、最近では、モバイルインスタントメッセージまたはモバイルソーシャルネットワークサービスを提供している。特に、韓国公開特許第１０−２００７−００３１０９９号（特許文献１）の「移動通信端末のモバイルインスタントメッセンジャーにおけるチャットサービス提供方法およびシステム」は、移動通信端末に搭載されたモバイルインスタントメッセンジャーを駆動してチャットサービスを利用しようとする場合、チャットサービスの要請を受けたユーザーがモバイルインスタントメッセンジャーにログオンする過程で、各種ネットワーク設定情報をダウンロードするまでの待ち時間にもモバイルチャットサービスの利用を開始することができるようにする方法を提案している。
【０００４】
また、モバイルソーシャルネットワークサービスアプリケーションは、インスタントメッセージを受信する携帯端末へ伝送する全てのインスタントメッセージをディスプレイし、時によってはユーザーが見る必要のないメッセージまで全てディスプレイされる問題があるので、ユーザーの設定に応じて、必要なグループのメッセージのみを実時間でフィルタリングしてディスプレイするようにすることによりユーザーの満足度を高める必要がある。
【先行技術文献】
【特許文献】
【０００５】
【特許文献１】韓国公開特許第１０−２００７−００３１０９９号
【発明の概要】
【発明が解決しようとする課題】
【０００６】
本発明の目的は、モバイルソーシャルネットワークサービスアプリケーションのインスタントメッセージが、予め設定されたグルーピング対象に該当するか否かを確認し、フィルタリングを実時間で行い、グルーピング対象に該当する場合のインスタントメッセージのみを、グルーピング対象を設定した携帯端末へ提供してディスプレイすることにより、ユーザーが必要とするインスタントメッセージのみを見ることができるようにする、モバイルソーシャルネットワークサービスアプリケーションにおけるグループ管理方法およびグループ管理サーバーを提供することにある。
【課題を解決するための手段】
【０００７】
上記の目的を達成するために、本発明に係るモバイルソーシャルネットワークサービスアプリケーションにおけるグループ管理方法は、第１携帯端末および第２携帯端末と無線通信網を介して接続されるグループ管理サーバーで行われており、データベースが第１携帯端末から地域情報、性別情報、年齢情報、友達情報を含むグルーピング対象情報の提供を受けて格納するグルーピング対象格納段階と、インタスタントメッセージ受信部が第２携帯端末からモバイルソーシャルネットワークサービスアプリケーションのインスタントメッセージを受信するインスタントメッセージ受信段階と、フィルタリング遂行部が、受信されたインスタントメッセージが格納されたグルーピング対象情報に対応するメッセージであるか否かを実時間で判断してフィルタリングを行うフィルタリング遂行段階と、フィルタリング遂行の結果、第２携帯端末から受信されたインスタントメッセージが、グルーピング対象情報によって設定された条件を満足すると、インスタントメッセージ伝送部は受信されたインスタントメッセージを第１携帯端末へ伝送してディスプレイするようにするインスタントメッセージ伝送段階とを含むことを特徴とする。
【０００８】
この際、地域情報は出身地または現位置情報であり、現位置情報はＧＰＳ（Ｇｌｏｂａｌ  Ｐｏｓｉｔｉｏｎｉｎｇ  Ｓｙｓｔｅｍ）またはＩＰ帯域を介して獲得することが好ましい。
【０００９】
また、グルーピング対象情報は、第１携帯端末で操作信号により発生した対象キーワード情報であることが好ましい。
【００１０】
また、インスタントメッセージ伝送段階の後、第１携帯端末は、グルーピング対象情報によって設定された条件を満足し、伝送されたインスタントメッセージのみを画面にディスプレイする段階をさらに含むことが好ましい。
【００１１】
また、インスタントメッセージ伝送段階の後、第１携帯端末は、リスト表示メニューまたは地図表示メニューに対する選択信号に応じて、ユーザー周辺ユーザーを、リストの形態でディスプレイし、或いはユーザー周辺ユーザーが地図に含まれた形態でディスプレイする段階をさらに含むことが好ましい。
【００１２】
また、第１携帯端末は、ユーザー周辺ユーザーをリストの形態でディスプレイする途中で、リストからいずれか一つのユーザー周辺ユーザーが選択されると、選択されたユーザー周辺ユーザーに対するプロファイルを呼び出してディスプレイすることが好ましい。
【００１３】
また、インスタントメッセージ伝送段階の後、第１携帯端末は、グループ管理サーバーから、ユーザー周辺ユーザーを距離または国を基準に分類し、生成されたサムネイルイメージを受信してディスプレイする段階をさらに含むことが好ましい。
【００１４】
一方、本発明に係るグループ管理サーバーは、第１携帯端末から提供されたグルーピング対象情報を格納するデータベースと、第２携帯端末からモバイルソーシャルネットワークサービスアプリケーションのインスタントメッセージを受信するインスタントメッセージ受信部と、受信されたインスタントメッセージが、格納されたグルーピング対象情報に該当するか否かを確認し、フィルタリングを実時間で行うフィルタリング遂行部と、フィルタリング遂行の結果、グルーピング対象情報に該当する場合のインスタントメッセージのみを第１携帯端末へ伝送するインスタントメッセージ伝送部とを含んでなる。
【発明の効果】
【００１５】
本発明によれば、モバイルソーシャルネットワークサービスアプリケーションを利用する携帯端末ユーザーの設定に応じて、必要なグループのインスタントメッセージのみを実時間でフィルタリングしてディスプレイするようにすることにより、ユーザーの満足度を高めることができる。さらに、ユーザーによって選択されたグループのみが情報を共有することができるようにすることができる。
【図面の簡単な説明】
【００１６】
【図１】本発明のモバイルソーシャルネットワークサービスアプリケーションによるグループ管理システムを示す図である。
【図２】本発明の実施例に係るグループ管理サーバーの内部構成を示す図である。
【図３ａ】本発明の実施例に係るコミュニティー設定画面を示す図である。
【図３ｂ】本発明の実施例に係るプロファイル設定画面を示す図である。
【図４】本発明の実施例に係る携帯端末の内部構成を示すブロック図である。
【図５ａ】本発明の実施例に係る選択地域掲示内容画面を示す図である。
【図５ｂ】本発明の実施例に係る地域検索結果画面を示す図である。
【図６】本発明の実施例に係るモバイルソーシャルネットワークサービスアプリケーションにおけるグループ管理方法を示すフローチャートである。
【発明を実施するための形態】
【００１７】
以下、添付図面に基づいて本発明をより詳細に説明する。
【００１８】
図１は本発明のモバイルソーシャルネットワークサービスアプリケーションによるグループ管理システムを示す図である。
【００１９】
図面を参照すると、本発明のモバイルソーシャルネットワークサービスアプリケーションによるグループ管理システムは、第１〜第３携帯端末１００、１０５、１１０とグループ管理サーバー２００とを含むことができる。
【００２０】
グループ管理サーバー２００は、例えば、第１携帯端末１００のユーザーによって予め設定されたグルーピング対象情報を受信して格納することができる。
【００２１】
この際、グルーピング対象情報は、出身地または現位置の地域情報、性別情報、年齢情報および友達情報のいずれか一つであってもよい。また、グルーピング対象情報は、グルーピング対象を設定した第１携帯端末１００で予め設定された対象キーワード情報でありうる。
【００２２】
また、グループ管理サーバー２００は、例えば、第２携帯端末１０５からモバイルソーシャルネットワークサービス（ｓｏｃｉａｌ  ｎｅｔｗｏｒｋ  ｓｅｒｖｉｃｅ：ＳＮＳ）アプリケーション（例えば、ツイッター（ｔｗｉｔｔｅｒ）［登録商標］、カカオトーク（ＫａｋａｏＴａｌｋ）［登録商標］など）のインスタントメッセージを受信すると、受信されたインスタントメッセージが、予め格納されたグルーピング対象情報に該当するか否かを確認し、フィルタリングを実時間で行うことができる。
【００２３】
また、グループ管理サーバー２００は、フィルタリング遂行の結果、グルーピング対象に該当する場合のインスタントメッセージのみを、グルーピング対象を設定した第１携帯端末１００へ伝送することができる。
【００２４】
すなわち、例えば、第２携帯端末１０５から受信されたインスタントメッセージがグルーピング対象に該当する場合、インスタントメッセージを第１携帯端末１００へ伝送することができる。一方、例えば、第３携帯端末１１０から受信されたインスタントメッセージがグルーピング対象に該当しない場合、インスタントメッセージを第１携帯端末１００へ伝送しないことができる。
【００２５】
これにより、グルーピング対象を設定した第１携帯端末１００は、伝送されたグルーピング対象に該当するインスタントメッセージのみを画面にディスプレイすることができる。
【００２６】
また、グルーピング対象を設定した第１携帯端末１００は、リスト表示メニューまたは地図表示メニューに対するユーザーの選択に応じて、ユーザー周辺ユーザーを、リスト形態でディスプレイし、或いはユーザー周辺ユーザーが地図に含まれた形態でディスプレイすることができる。
【００２７】
また、グルーピング対象を設定した第１携帯端末１００は、ユーザー周辺ユーザーを距離または国を基準に分類し、生成されたサムネイルイメージをグループ管理サーバー２００から受信してディスプレイすることができる。
【００２８】
図２は本発明の実施例に係るグループ管理サーバーの内部構成を示す図、図３ａは本発明の実施例に係るコミュニティー設定画面を示す図、図３ｂは本発明の実施例に係るプロファイル設定画面を示す図である。
【００２９】
図面を参照すると、本発明の実施例に係るグループ管理サーバー２００は、データベース２０２、インスタントメッセージ受信部２０４、フィルタリング遂行部２０６およびインスタントメッセージ伝送部２０８を含むことができる。
【００３０】
データベース２０２は、一つ以上の携帯端末それぞれに対して、各携帯端末のユーザーによって予め設定されたグルーピング対象情報を格納することができる。この際、携帯端末のユーザーは、図３ａに示したコミュニティー設定画面３０２のマイプロファイルメニューを選択し、ディスプレイされる図３ｂに示したプロファイル設定画面３１２を介してプロファイル情報を作成することができ、作成されたプロファイル情報のうち、出身地または現位置の地域情報、性別情報、年齢情報などがグルーピング対象情報としてグループ管理サーバー２００に提供されて格納できる。
【００３１】
すなわち、グルーピング対象情報は、出身地または現位置の地域情報、性別情報、年齢情報および友達情報のいずれか一つであってもよい。また、グルーピング対象情報は、グルーピング対象を設定した携帯端末で予め設定された対象キーワード情報でありうる。
【００３２】
インスタントメッセージ受信部２０４は、携帯端末からモバイルソーシャルネットワークサービスアプリケーションのインスタントメッセージを受信することができる。
【００３３】
フィルタリング遂行部２０６は、受信されたインスタントメッセージが、データベースに格納されたグルーピング対象情報に該当するか否かを確認し、フィルタリングを実時間で行うことができる。
【００３４】
インスタントメッセージ伝送部２０８は、フィルタリング遂行の結果、グルーピング基準に該当する場合のインスタントメッセージのみを、グルーピング対象を設定した携帯端末へ伝送することができる。
【００３５】
また、インスタントメッセージ伝送部２０８は、グルーピング対象を設定した携帯端末がリスト表示メニューまたは地図表示メニューに対するユーザーの選択に応じて、ユーザー周辺ユーザーを、リスト形態でディスプレイし、或いはユーザー周辺ユーザーが地図に含まれた形態でディスプレイするようにすることができる。
【００３６】
また、インスタントメッセージ伝送部２０８は、グルーピング対象を設定した携帯端末のユーザー周辺ユーザーを距離または国を基準に分類し、サムネイルイメージを生成し、生成されたサムネイルイメージを、グルーピング基準を設定した携帯端末へ伝送することができる。
【００３７】
図４は本発明の実施例に係る携帯端末の内部構成を示すブロック図、図５ａは本発明の実施例に係る選択地域掲示内容画面を示す図、図５ｂは本発明の実施例に係る地域検索結果画面を示す図である。
【００３８】
図面を参照すると、本発明の実施例に係る携帯端末は、電源供給部４０２、無線通信部４０４、操作部４０６、表示部４０８、音響出力部４１０、格納部４１２および制御部４２０を含むことができる。また、本明細書で記述される携帯端末はスマートフォン（ｓｍａｒｔ  ｐｈｏｎｅ）などであってもよい。
【００３９】
電源供給部４０２は、制御部４２０の制御に基づいて、外部の電源および内部の電源の印加を受け、各構成要素の動作に必要な電源を供給することができる。
【００４０】
無線通信部４０４は、移動通信モジュール、無線インターネットモジュール、近距離通信モジュールなどを含むことができる。この際、移動通信モジュールは、移動通信網上で基地局の無線信号を送受信する。ここで、無線信号は、音声呼信号、画像通話呼信号、または文字／マルチメディアメッセージの送受信による様々な形態のデータを含むことができる。無線インターネットモジュールは無線インターネット接続のためのモジュールであり、近距離通信モジュールは近距離通信のためのモジュールである。この際、無線インターネット技術としては、ＷＬＡＮ（Ｗｉｒｅｌｅｓｓ  ＬＡＮ）（Ｗｉ−Ｆｉ）、Ｗｉｂｒｏ（Ｗｉｒｅｌｅｓｓ  ｂｒｏａｄｂａｎｄ）、Ｗｉｍａｘ（Ｗｏｒｌｄ  Ｉｎｔｅｒｏｐｅｒａｂｉｌｉｔｙ  ｆｏｒ  Ｍｉｃｒｏｗａｖｅ  Ａｃｃｅｓｓ）、ＨＳＤＰＡ（Ｈｉｇｈ  Ｓｐｅｅｄ  Ｄｏｗｎｌｉｎｋ  Ｐａｃｋｅｔ  Ａｃｃｅｓｓ）などが採用できる。また、無線通信部４０４は、無線インターネットモジュールを介してグループ管理サーバーとの無線通信を行うことができる。
【００４１】
操作部４０６は、ユーザーが端末の動作制御のために入力するキー入力データを発生させる。操作部は、キーパッド、ドーム型スイッチおよびタッチパッドなどから構成できる。特に、タッチパッドは、後述する表示部と相互レイヤー構造をなすタッチスクリーンとすることができる。また、携帯端末のユーザーは操作部４０６を介してグルーピング対象を設定することができ、これにより、携帯端末は無線通信部４０４を介してグルーピング対象情報をグループ管理サーバーへ伝送することができる。
【００４２】
表示部４０８は、携帯端末で処理される情報を表示出力する。例えば、携帯端末が通話モードである場合、通話に関連したＵＩ（Ｕｓｅｒ  Ｉｎｔｅｒｆａｃｅ）またはＧＵＩ（Ｇｒａｐｈｉｃ  Ｕｓｅｒ  Ｉｎｔｅｒｆａｃｅ）を表示する。そして、携帯端末が画像通話モードまたは撮影モードである場合、撮影または受信された映像をそれぞれまたは同時に表示することができる。また、表示部は、液晶ディスプレイ（ｌｉｑｕｉｄ  ｃｒｙｓｔａｌ  ｄｉｓｐｌａｙ）、薄膜トランジスタ液晶ディスプレイ（ｔｈｉｎ  ｆｉｌｍ  ｔｒａｎｓｉｓｔｏｒ−ｌｉｑｕｉｄ  ｄｉｓｐｌａｙ）、有機発光ダイオード（ｏｒｇａｎｉｃ  ｌｉｇｈｔ−ｅｍｉｔｔｉｎｇ  ｄｉｏｄｅ）、フレキシブルディスプレイ（ｆｌｅｘｉｂｌｅ  ｄｉｓｐｌａｙ）、および３次元ディスプレイ（３Ｄ  ｄｉｓｐｌａｙ）の少なくとも一つを含むことができる。
【００４３】
また、表示部４０８は、グループ管理サーバーから伝送されるグルーピング対象に該当するインスタントメッセージのみを表示出力することができる。
【００４４】
また、表示部４０８は、図５ａに示した選択地域掲示内容画面５０２をディスプレイすることができる。この際、携帯端末ユーザーの地域（例えば、米国ロサンゼルス）の選択に応じて該当地域の掲示内容がディスプレイできる。また、携帯端末ユーザーの設定に応じて、選択した友達にのみ掲示内容を公開し或いはグループ表示ページを呼び出すことができる。
【００４５】
また、表示部４０８は、図５ｂに示した第１地域検索結果画面５１２と第２地域検索結果画面５１４をディスプレイすることができる。この際、リスト表示メニューまたは地図表示メニューのうち、ユーザーが地図表示メニューを選択すると、第１地域検索結果画面５１２がディスプレイされ、ユーザーがリスト表示メニューを選択すると、第２地域検索結果画面５１４がディスプレイされるため、ユーザーの選択に応じて、ユーザー周辺ユーザーを、リスト形態でディスプレイし、或いはユーザー周辺ユーザーが地図に含まれた形態でディスプレイすることができる。
【００４６】
この際、第１地域検索結果画面５１２ではユーザー周辺ユーザーをサムネイルイメージで表示することができる。また、第２地域検索結果画面５１４からユーザーがリストユーザーをクリックすると、該当プロファイルページを呼び出すことができる。
【００４７】
音響出力部４１０は、通話モードなどで無線通信部を介して受信された或いは格納部に格納されたオーディオデータを出力することができる。
【００４８】
格納部４１２は、制御部の処理および制御のためのプログラムを格納することができ、入力または出力されるデータを一時格納することができる。この際、格納部は、フラッシュメモリタイプ（ｆｌａｓｈ  ｍｅｍｏｒｙ  ｔｙｐｅ）、ハードディスクタイプ（ｈａｒｄ  ｄｉｓｋ  ｔｙｐｅ）、マルチメディアカードマイクロタイプ（ｍｕｌｔｉｍｅｄｉａ  ｃａｒｄ  ｍｉｃｒｏ  ｔｙｐｅ）、カードタイプのメモリ（例えば、ＳＤまたはＸＤメモリなど）、ＲＡＭ、およびＲＯＭの少なくとも一つのタイプの記憶媒体を含むことができる。
【００４９】
制御部４２０は、通常、端末の各部の動作を制御して携帯端末の全般的な動作を制御する。例えば、音声通話、データ通信、画像通話などのための関連した制御および処理を行う。また、制御部４２０は、本発明の実施例に係るモバイルソーシャルネットワークサービスアプリケーションにおけるグループ管理方法を実現するためのアプリケーションを駆動させることができる。
【００５０】
図６は本発明の実施例に係るモバイルソーシャルネットワークサービスアプリケーションにおけるグループ管理方法を示すフローチャートである。
【００５１】
グルーピング対象設定携帯端末のユーザーがモバイルソーシャルネットワークサービスアプリケーションで所望のインスタントメッセージのみを見るためにグルーピング対象を設定することにより、グループ管理サーバーは、グルーピング対象設定携帯端末からグルーピング対象情報を受信して格納することができる（Ｓ６０２）。
【００５２】
この際、グルーピング対象情報は出身地または現位置の地域情報、性別情報、年齢情報および友達情報のいずれか一つであってもよい。また、グルーピング対象情報はグルーピング対象設定携帯端末で予め設定された対象キーワード情報でありうる。
【００５３】
また、グループ管理サーバーは、グルーピング対象設定携帯端末ではなく、他の携帯端末からモバイルソーシャルネットワークサービスアプリケーションのインスタントメッセージを受信することができる（Ｓ６０４）。
【００５４】
また、グループ管理サーバーは、受信されたインスタントメッセージが、予め格納されたグルーピング対象情報に該当するか否かを確認し、フィルタリングを実時間で行うことができる（Ｓ６０６）。
【００５５】
例えば、グルーピング対象が現位置地域である場合、グループ管理サーバーは、受信されたインスタントメッセージに相応する携帯端末の位置が、グルーピング対象設定携帯端末の現位置で予め設定された距離に含まれるか否かに対するフィルタリングを実時間で行うことができる。
【００５６】
また、グルーピング対象が性別である場合、グループ管理サーバーは、受信されたインスタントメッセージに相応する携帯端末ユーザーの性別がグルーピング対象に該当するか否かに対するフィルタリングを実時間で行うことができる。
【００５７】
また、グルーピング対象が年齢である場合、グループ管理サーバーは、受信されたインスタントメッセージに相応する携帯端末ユーザーの年齢がグルーピング対象に該当するか否かに対するフィルタリングを実時間で行うことができる。
【００５８】
また、グルーピング対象がキーワード（例えば、ＰＡＲＫ  ＪＩ  ＳＵＮＧ）である場合、グループ管理サーバーは、受信されたインスタントメッセージにグルーピング対象たるキーワードが含まれるか否かに対するフィルタリングを実時間で行うことができる。
【００５９】
また、グループ管理サーバーは、フィルタリング遂行の結果、グルーピング対象に該当する場合のインスタントメッセージのみをグルーピング対象設定携帯端末へ伝送することができる（Ｓ６０８）。
【００６０】
これにより、グルーピング対象設定携帯端末は、伝送されたグルーピング対象に該当するインスタントメッセージのみを画面にディスプレイすることができる（Ｓ６１０）。
【００６１】
また、グルーピング対象設定携帯端末は、リスト表示メニューまたは地図表示メニューに対するユーザーの選択に応じて、ユーザー周辺ユーザーを、リスト形態でディスプレイし、或いはユーザー周辺ユーザーが地図に含まれた形態でディスプレイすることができる。
【００６２】
また、グルーピング対象設定携帯端末は、ユーザー周辺ユーザーを距離または国を基準に分類し、生成されたサムネイルイメージをグループ管理サーバーから受信してディスプレイすることができる。
【００６３】
このように、本発明に係るモバイルソーシャルネットワークサービスアプリケーションにおけるグループ管理方法は、モバイルソーシャルネットワークサービスアプリケーションを用いる携帯端末ユーザーの設定に応じて必要なグループのインスタントメッセージのみを実時間でフィルタリングしてディスプレイするようにすることにより、ユーザーの満足度を高めることができる。
【００６４】
以上、実施例を挙げて本発明をさらに詳細に説明したが、本発明は、必ずしもこれらの実施例に限定されるものではなく、本発明の技術思想を外れない範囲内で様々に変形実施できる。よって、本発明に開示された実施例は、本発明の技術思想を限定するためのものではなく、説明するためのものであり、本発明の技術思想の範囲を限定するものではない。本発明の保護範囲は以下の請求の範囲によって解釈されるべきであり、それと同等の範囲内にある全ての技術思想は本発明の権利範囲に含まれるものと解釈されるべきである。
【産業上の利用可能性】
【００６５】
本発明は、モバイルソーシャルネットワークでユーザーが必要とするインスタントメッセージのみを見ることができるようにグループ管理を行うようにし、モバイルメッセージングサービスおよびソーシャルネットワークサービスを提供するＩＴ会社の発展に寄与することができる。
【図１】
2015528949.tif 000003
【図２】
2015528949.tif 000004
【図３ａ】
2015528949.tif 000005
【図３ｂ】
2015528949.tif 000006
【図４】
2015528949.tif 000007
【図５ａ】
2015528949.tif 000008
【図５ｂ】
2015528949.tif 000009
【図６】
2015528949.tif 000010
【国際調査報告】
2015528949.tif 000011
2015528949.tif 000012
2015528949.tif 000013
2015528949.tif 000014